(57)【要約】【課題】  接着剤を用いずに線状光源をケースに固定可能な画像読取装置を提供する。【解決手段】  基板４と、基板４上にｘ方向に沿って配列されたラインセンサ５と、上記ラインセンサ５に光を集束させるレンズユニット３と、基板４およびレンズユニット３を収容する収容空間１２を有するケース１と、を備えており、ケース１は、収容空間１２のｘ方向における一方の端部に突出する弾性力付与部材１３を備えており、弾性力付与部材１３がレンズユニット３をｘ方向における他方に向けて押すことを特徴とする。【選択図】  図４
2012104876.tif 000002
【特許請求の範囲】
【請求項１】
基板と、
上記基板上に第１の方向に沿って配列された複数の受光素子と、
上記複数の受光素子に光を集束させるレンズユニットと、
上記基板および上記レンズユニットを収容する収容空間を有するケースと、
を備えた画像読取装置であって、
上記ケースは、上記収容空間の上記第１の方向における一方の端部に突出する弾性力付与部材を備えており、
上記弾性力付与部材が上記レンズユニットを上記第１の方向における他方に向けて押すことを特徴とする、画像読取装置。
【請求項２】
上記弾性力付与部材は、上記第１の方向における一方側ほど上記基板から上記基板の厚み方向に離間する傾斜面を有している、請求項１に記載の画像読取装置。
【請求項３】
上記弾性力付与部材は、上記傾斜面が凸曲面となるように湾曲する板状に形成されている、請求項２に記載の画像読取装置。
【請求項４】
上記弾性力付与部材は、上記厚み方向に貫通する貫通孔を備え、上記厚み方向視において環状に形成されている、請求項２に記載の画像読取装置。
【請求項５】
上記弾性力付与部材は上記ケースと一体に形成されている、請求項１ないし４のいずれかに記載の画像読取装置。
【請求項６】
上記ケースは、上記収容空間の一方の端部に収容可能な固定用部品を具備しており、
上記弾性力付与部材は上記固定用部品に設けられている、請求項１ないし４のいずれかに記載の画像読取装置。
【請求項７】
上記ケースは、上記厚み方向視において上記弾性力付与部材と重なる領域に、上記厚み方向に貫通する空洞部を有している、請求項５に記載の画像読取装置。
【請求項８】
上記空洞部の上記厚み方向において上記基板に近いほうの端部は、上記基板によって封鎖されている、請求項７に記載の画像読取装置。
【請求項９】
上記空洞部と上記複数の受光素子との間に、上記基板に対して起立する壁部材が設けられている、請求項７または８に記載の画像読取装置。
【請求項１０】
上記壁部材は上記ケースに設けられている、請求項９に記載の画像読取装置。
【請求項１１】
上記壁部材は、上記基板に接している、請求項１０に記載の画像読取装置。
【請求項１２】
上記壁部材は、上記レンズユニットに接している、請求項１０または１１に記載の画像読取装置。
【請求項１３】
上記壁部材は、上記厚み方向および上記第１の方向と直交する第２の方向において上記空洞部と同じかそれよりも長くなるように形成されている、請求項９ないし１２のいずれかに記載の画像読取装置。
【請求項１４】
上記ケースには、上記厚み方向における上記収容空間の上記基板から遠い方の端部に突出する爪部材が設けられている、請求項１ないし１３のいずれかに記載の画像読取装置。
【請求項１５】
上記爪部材は、上記厚み方向および上記第１の方向と直交する第２の方向に突出し、かつ、上記厚み方向における上記基板から遠い方の端面が上記第２の方向における先端側ほど上記基板に近づくように傾斜するように形成されている、請求項１４に記載の画像読取装置。
【請求項１６】
上記レンズユニットは上記弾性力付与部材の上記第１の方向における先端部分と嵌合する凹部を備えている、請求項１４または１５に記載の画像読取装置。
【請求項１７】
上記爪部材が上記収容空間の上記第１の方向における他方の端部に突出するように設けられている、請求項１４ないし１６のいずれかに記載の画像読取装置。
【請求項１８】
上記ケースは、上記収容空間の上記第２の方向における他方の端部に突出する追加の弾性力付与部材を備えており、
上記追加の弾性力付与部材が上記レンズユニットを上記第１の方向における一方に向けて押す、請求項１ないし１６のいずれかに記載の画像読取装置。
【請求項１９】
上記ケースは、上記収容空間の他方の端部に収容可能な追加の固定用部品を具備しており、
上記追加の弾性力付与部材は上記追加の固定用部品に設けられている、請求項１８に記載の画像読取装置。
【請求項２０】
上記固定用部品と上記追加の固定用部品が同一形状の部品である、請求項１９に記載の画像読取装置。
【発明の詳細な説明】
【技術分野】
【０００１】
本発明は、画像読取装置に関する。
【背景技術】
【０００２】
図２０は、従来の画像読取装置の一例を示している（特許文献１）。図２０に示す画像読取装置Ｘは、ケース９１、光源基板９２と、線状光源９３と、レンズユニット９４と、接着剤９５とを備えている。ケース９１は、たとえば樹脂により形成されており、主走査方向ｘに長く延びるレンズユニット９４を収容するための収容空間９１ａを備えている。線状光源９３は、光源基板９２に搭載された複数の発光ダイオード（ＬＥＤ）からの光を、主走査方向ｘに延びる線状光として出射するように構成されている。レンズユニット９４は、上記線状光に照射された原稿からの光を図示しない受光素子に向けて収束させるためのものである。受光素子は、受光した光に応じた電気信号を出力する。画像読取装置Ｘは上記電気信号を処理するための処理装置に接続されて用いられる。
【０００３】
線状光源９３は、主走査方向ｘに沿って均一な光を出射するように設計されているが、厳密に均一な光を出射する構成とするのは困難であり、上記処理装置により上記電気信号を処理する際に補正処理を行う場合がある。このとき行われる補正処理は、線状光源９３からの線状光を白紙原稿に当てた際に出力される電気信号の値が主走査方向ｘに沿って均一となるように、主走査方向ｘに沿う各位置に対して電気信号の値に加算処理あるいは減算処理を行う。
【０００４】
上述のような補正処理を行う場合、線状光源９３の位置がずれると、補正処理の効果を得ることができなくなることがあった。このため、線状光源９３を収容空間９１ａ内に固定する必要があった。このため、画像読取装置Ｘでは、線状光源９３を複数個所において接着剤９５により、収容空間９１ａに固定している。
【０００５】
しかしながら、接着剤９５を用いて線状光源９３をケース９１に固定した場合、ケース９１と線状光源９３との熱膨張係数差により、たとえば画像読取装置Ｘが高温中に置かれ際に線状光源９３に歪みが生じてしまう可能性があった。また、接着剤９５を用いると線状光源９３を収容空間９１ａに組み付ける作業が煩雑になりがちであり、製造工程の簡略およびコスト削減を図るには不向きであった。
【先行技術文献】
【特許文献】
【０００６】
【特許文献１】特開２００９−２００９１３号公報
【発明の概要】
【発明が解決しようとする課題】
【０００７】
本発明は、上記した事情のもとで考え出されたものであって、接着剤を用いずに線状光源をケースに固定可能な画像読取装置を提供することを課題としている。
【課題を解決するための手段】
【０００８】
本発明によって提供される画像読取装置は、基板と、上記基板上に第１の方向に沿って配列された複数の受光素子と、上記複数の受光素子に光を集束させるレンズユニットと、上記基板および上記レンズユニットを収容する収容空間を有するケースと、を備えた画像読取装置であって、上記ケースは、上記収容空間の上記第１の方向における一方の端部に突出する弾性力付与部材を備えており、上記弾性力付与部材が上記レンズユニットを上記第１の方向における他方に向けて押すことを特徴とする。
【０００９】
本発明の好ましい実施形態においては、上記弾性力付与部材は、上記第１の方向における一方側ほど上記基板から上記基板の厚み方向に離間する傾斜面を有している。
【００１０】
好ましくは、上記弾性力付与部材は、上記傾斜面が凸曲面となるように湾曲する板状に形成されている。
【００１１】
より好ましくは、上記弾性力付与部材は、上記厚み方向に貫通する貫通孔を備え、上記厚み方向視において環状に形成されている。
【００１２】
本発明の好ましい実施形態においては、上記弾性力付与部材は上記ケースと一体に形成されている。
【００１３】
本発明の別の好ましい実施形態においては、上記ケースは、上記収容空間の一方の端部に収容可能な固定用部品を具備しており、上記弾性力付与部材は上記固定用部品に設けられている。
【００１４】
本発明の好ましい実施形態においては、上記ケースは、上記厚み方向視において上記弾性力付与部材と重なる領域に、上記厚み方向に貫通する空洞部を有している。
【００１５】
好ましくは、上記空洞部の上記厚み方向において上記基板に近いほうの端部は、上記基板によって封鎖されている。
【００１６】
好ましくは、上記空洞部と上記複数の受光素子との間に、上記基板に対して起立する壁部材が設けられている。
【００１７】
より好ましくは、上記壁部材は上記ケースに設けられている。
【００１８】
より好ましくは、上記壁部材は、上記基板に接している。
【００１９】
より好ましくは、上記壁部材は、上記レンズユニットに接している。
【００２０】
より好ましくは、上記壁部材は、上記厚み方向および上記第１の方向と直交する第２の方向において上記空洞部と同じかそれよりも長くなるように形成されている。
【００２１】
より好ましい実施形態においては、上記ケースには、上記厚み方向における上記収容空間の上記基板から遠い方の端部に突出する爪部材が設けられている。
【００２２】
好ましくは、上記爪部材は、上記厚み方向および上記第１の方向と直交する第２の方向に突出し、かつ、上記厚み方向における上記基板から遠い方の端面が上記第２の方向における先端側ほど上記基板に近づくように傾斜するように形成されている。
【００２３】
好ましくは、上記レンズユニットは上記弾性力付与部材の上記第１の方向における先端部分と嵌合する凹部を備えている。
【００２４】
より好ましくは、上記爪部材が上記収容空間の上記第１の方向における他方の端部に突出するように設けられている。
【００２５】
より好ましい実施形態においては、上記ケースは、上記収容空間の上記第２の方向における他方の端部に突出する追加の弾性力付与部材を備えており、上記追加の弾性力付与部材が上記レンズユニットを上記第１の方向における一方に向けて押す構成となっている。
【００２６】
好ましくは、上記ケースは、上記収容空間の他方の端部に収容可能な追加の固定用部品を具備しており、上記追加の弾性力付与部材は上記追加の固定用部品に設けられている。
【００２７】
より好ましくは、上記固定用部品と上記追加の固定用部品が同一形状の部品である。
【００２８】
このような構成によれば、上記弾性力付与部材により上記レンズユニットを押すことにより、上記レンズユニットを上記収容空間内に固定することができる。このため、上記レンズユニットを上記収容空間に固定するために接着剤を用いる必要がなくなっている。従って、本発明における画像読取装置は、製造工程の簡略化およびコスト削減を図りやすくなっている。
【００２９】
本発明のその他の特徴および利点は、添付図面を参照して以下に行う詳細な説明によって、より明らかとなろう。
【図面の簡単な説明】
【００３０】
【図１】本発明の第１実施形態における画像読取装置の平面図である。
【図２】図１のＩＩ−ＩＩ線に沿う断面図である。
【図３】図１のＩＩＩ−ＩＩＩ線に沿う断面図である。
【図４】図２の要部拡大断面図である。
【図５】レンズユニットを取り外した状態のケースを示す要部拡大断面図である。
【図６】本発明の第２実施形態における画像読取装置の平面図である。
【図７】図６のＶＩＩ−ＶＩＩ線に沿う断面図である。
【図８】図６のＶＩＩＩ−ＶＩＩＩ線に沿う断面図である。
【図９】図７の要部拡大断面図である。
【図１０】本発明の第３実施形態における画像読取装置の断面図である。
【図１１】本発明の第４実施形態における画像読取装置の平面図である。
【図１２】図１１に示す画像読取装置の要部拡大断面図である。
【図１３】図１１に示す弾性力付与部材の拡大斜視図である。
【図１４】本発明の第５実施形態における画像読取装置の平面図である。
【図１５】図１４のＸＶ―ＸＶ線に沿う断面図である。
【図１６】本発明の第６実施形態における画像読取装置の断面図である。
【図１７】本発明の第７実施形態における画像読取装置の断面図である。
【図１８】本発明の第８実施形態における画像読取装置の断面図である。
【図１９】図１８のＸＩＸ―ＸＩＸ線に沿う断面図である。
【図２０】従来の画像読取装置の一例を示す平面図である。
【発明を実施するための形態】
【００３１】
以下、本発明の実施の形態につき、図面を参照して具体的に説明する。
【００３２】
図１〜図５には本発明の第１実施形態における画像読取装置を示している。図１〜図４に示す画像読取装置Ａ１は、ケース１、線状光源２、レンズユニット３、基板４、ラインセンサ５、ホルダ６、および、保護ガラス７を備えている。画像読取装置Ａ１は、たとえば、１０．１６ｃｍの読み取り幅を有するイメージセンサモジュールであり、スキャナ装置などに組み込まれて用いられるものである。なお、図１においては、保護ガラス７を省略している。また、図４は図２の要部拡大図であり、図５にはケース１から他の部品を除いた状態を示している。
【００３３】
図１におけるｘ方向は、画像読取装置Ａ１の主走査方向であり、本発明における第１の方向に相当する。図１におけるｙ方向は、画像読取装置Ａ１の副走査方向であり、本発明における第２の方向に相当する。また、図２におけるｚ方向は、基板４の厚み方向である。なお、以降におけるｚ方向の上下は、図２〜図５における上下であるとする。
【００３４】
ケース１は、線状光源２を収容するための収容空間１１と、レンズユニット３を収容するための収容空間１２とを備えている。収容空間１１，１２は、ｘ方向に沿って長く延びる溝状に形成されている。図１に示すように、収容空間１２のｘ方向における一方の端部には、レンズユニット３のｘ方向における位置を固定するための弾性力付与部材１３が設けられている。
【００３５】
弾性力付与部材１３は、図４および図５に示すように、湾曲する板状に形成されており、ｘ方向における一方側ほどｚ方向上方となるように傾斜する傾斜面１３１を有している。図５において、弾性力付与部材１３が弾性変形していない自然状態である。このとき、弾性力付与部材１３のｘ方向における他方側の端部は、レンズユニット３の一方側の端部が配置される位置よりも他方側に位置している。図４に示すようにレンズユニット３を収容空間１２に収容した状態では、弾性力付与部材１３の先端部はレンズユニット３の一方側の端部と接している。このときの弾性力付与部材１３は、自然状態よりもｘ方向に縮むように弾性変形した状態であり、レンズユニット３をｘ方向の他方へ向けて押す力を発揮する。このため、レンズユニット３のｘ方向における他方側の端部はケース１に当接することになる。
【００３６】
この弾性力付与部材１３のｚ方向における下方には、空洞部１４が設けられている。この空洞部１４は、たとえば基板４により封鎖されている。
【００３７】
さらに、ケース１は、基板４を受け止めるための壁部１５，１６と、ホルダ６が係止される凹部１７とを備えている。壁部１５は、ｙ方向に対して垂直な平面を有しており、基板４がｙ方向に移動するのを規制している。壁部１６は、ｚ方向に対して垂直な平面を有しており、基板４がｚ方向に移動するのを規制している。凹部１７は、ｙ方向に凹むように形成されており、ｘ方向における中央部に設けられている。
【００３８】
さらに、ケース１は、ｘ方向視長矩形状の壁部材１８を備えている。壁部材１８は、図５に示すように、ｘ方向において自然状態での弾性力付与部材１３とラインセンサ５との間に位置している。この壁部材１８のｚ方向下面は壁部１６と同様に基板４に当接するように形成されている。また、壁部材１８のｚ方向上面は、レンズユニット３の下端と当接している。壁部材１８は、たとえば壁部１５と壁部１６との間を繋ぐように設けられている。この壁部材１８は、空洞部１４から入り込んだ光が不当にラインセンサ５に到達するのを防ぐための部材である。
【００３９】
線状光源２は、光源基板２１、導光体２２、および、リフレクタ２３を備えており、ｘ方向に延びる棒状部材であり、収容空間１１に嵌め込まれている。光源基板２１は、複数のＬＥＤを内蔵しており、たとえば、基板４を介して外部の電源装置と接続されている。導光体２２は、複数のＬＥＤからの光をｘ方向に沿って進行させつつ、読取対象である原稿に向けて線状光を出射させるように構成されている。リフレクタ２３は、導光体２２から光が漏れるのを防ぐための部材である。
【００４０】
レンズユニット３は、ｘ方向に沿って配列された複数の円柱状のレンズ部材３１と、複数のレンズ部材３１を保持する樹脂製のハウジング３２とを備えており、ｘ方向に長く延びる形状となっている。レンズユニット３は、原稿によって反射された線状光源２からの光をラインセンサ５へ導くためのものである。
【００４１】
基板４は、たとえばセラミック製であり、ケース１の下端部に設置されている。基板４のｙ方向における一方の側面は壁部１５に当接しており、ｚ方向における上面は壁部１６に当接している。基板４には、ラインセンサ５が搭載されており、図示しない配線パターンが形成されている。基板４は、たとえば図示しないコネクタを介して外部の電源装置や情報処理装置と接続される。
【００４２】
ラインセンサ５は、ｘ方向に沿って配列された複数のセンサＩＣにより構成されている。これらのセンサＩＣは本発明における受光素子に相当する。ラインセンサ５は、レンズユニット３からの光を受光し、受光した光量に応じた電気信号を出力する。ラインセンサ５が出力した電気信号は、図示しないコネクタを介して基板４と接続された情報処理装置により処理される。情報処理装置は、たとえば、従来の画像読取装置Ｘと同様に、電気信号に対して補正処理を行うことがある。
【００４３】
ホルダ６は、たとえば金属板を屈曲させることに形成されており、基板４をケース１に固定している。ホルダ６は、基板４の下面に当接する板状部６１、板状部６１のｙ方向両端と接続された屈曲部６２、ケース１の凹部１７に嵌合する楔部６３、および、基板４のｙ方向の他方の側面に当接する当接部６４を備えている。
【００４４】
保護ガラス７は、ケース１の上端部を封鎖するように設置されている。この保護ガラス７は原稿と当接する部分である。
【００４５】
次に、本実施形態の画像読取装置Ａ１の作用について説明する。
【００４６】
画像読取装置Ａ１においては、弾性力付与部材１３がレンズユニット３をｘ方向に押すことによりレンズユニット３がケース１の収容空間１２に固定されるようになっている。このため、画像読取装置Ａ１では、接着剤を用いずに収容空間１２にレンズユニット３を固定することが可能となっている。従って、画像読取装置Ａ１を製造する際に収容空間１２にレンズユニット３を固定する作業を容易に行うことが可能であり、画像読取装置Ａ１の製造コスト削減を図りやすくなる。
【００４７】
さらに、画像読取装置Ａ１は、たとえば高温状態に曝され、ケース１およびレンズユニット３が別々に膨張した場合であっても、弾性力付与部材１３によりレンズユニット３のｘ方向端部はケース１に押し当てられたままとなる。このため、レンズユニット３の位置ずれが生じにくくなっている。
【００４８】
以下に、本発明の他の実施形態について図６〜図１９を参照しつつ説明する。なお、これらの図において、上記実施形態と同一または類似の要素には上記実施形態と同一の符号を付しており、適宜説明を省略する。
【００４９】
図６〜図９には本発明の第２実施形態における画像読取装置を示している。図６〜図９に示す画像読取装置Ａ２の主要な構成は画像読取装置Ａ１と同様である。以下では異なっている部分について説明を行う。
【００５０】
本実施形態のケース１は、レンズユニット３のｚ方向における移動を規制する複数の爪部材１２１を有している。爪部材１２１は、図８に示すように、ｚ方向における上面がｙ方向の先端ほど下方となるように傾斜するように形成されている。このような形状であるため、収容空間１２にレンズユニット３を嵌め込む際に爪部材１２１が障害となりにくくなっている。なお、本実施形態においては、図６に示すように、収容空間１２のｘ方向における一方の端部付近、中央、他方の端部付近にそれぞれ爪部材１２１が１個ずつ配置されているが、複数の爪部材１２１の数および位置は適宜調整可能である。
【００５１】
さらに本実施形態では、レンズユニット３のハウジング３１にｘ方向に凹む凹部３１ａが形成されている。この凹部３１ａは、弾性力付与部材１３を受容するためのものであり、たとえば滑らか曲面を有するように形成されている。本実施形態における弾性力付与部材１３の先端部は、凹部３１ａに好ましく嵌合するよう形成されている。
【００５２】
このような画像読取装置Ａ２では、凹部３１ａに弾性力付与部材１３を嵌合させることにより、弾性力付与部材１３がより安定してレンズユニット３を押すことができる。さらに複数の爪部材１２１が、レンズユニット３がｚ方向に浮き上がるのを防止する効果を発揮するため、レンズユニット３はより適切に収容空間１２に固定されることになる。
【００５３】
図１０には本発明の第３実施形態における画像読取装置を示している。図１０に示す画像読取装置Ａ３は、複数の爪部材１２１を設けるかわりに爪部材１２２が設けられており、その他の構成は画像読取装置Ａ２と同様となっている。
【００５４】
爪部材１２２は、ケース１のｘ方向における他方の端部から収容空間１２に突き出すように形成されており、レンズユニット３がｚ方向に浮き上がるのを防止する。このような爪部材１２２を設けた場合、弾性力付与部材１３を収縮させた状態でレンズユニット３を収容空間１２に嵌め込み、その後ｘ方向にスライドさせることでレンズユニット３の設置を行うことができる。
【００５５】
なお、爪部材１２１と爪部材１２２との双方を設置した構成としても構わない。
【００５６】
図１１〜図１３には本発明の第４実施形態における画像読取装置を示している。図１１〜図１３に示す画像読取装置Ａ４は、弾性力付与部材１３の形状が異なっているが、その他の構成は画像読取装置Ａ１と同様となっている。図１２は、画像読取装置Ａ１の説明における図４に相当する要部拡大断面図である。図１３は、弾性力付与部材１３の斜視図である。
【００５７】
本実施形態の弾性力付与部材１３には、図１１に示すようにｚ方向視環状となるように貫通孔１３２が形成されている。弾性力付与部材１３は、ｙ方向両側部分が環の外方へ広がるよう弾性変形する。図１２および１３に示すように、本実施形態における弾性力付与部材１３も、ｘ方向における一方側ほどｚ方向上方となるように傾斜する傾斜面１３１を備えている。ただし、本実施形態における傾斜面１３１は、ｚ方向視環状である。
【００５８】
このような画像読取装置Ａ４においても、弾性力付与部材１３がレンズユニット３をｘ方向に押すことにより、レンズユニット３がケース１の収容空間１２に固定される。このため、画像読取装置Ａ４においても、接着剤を用いずに収容空間１２にレンズユニット３を固定することが可能となっている。従って、画像読取装置Ａ４を製造する際に収容空間１２にレンズユニット３を固定する作業を容易に行うことが可能であり、画像読取装置Ａ４の製造コスト削減を図りやすくなる。
【００５９】
さらに、このような画像読取装置Ａ４においては、弾性力付与部材１３に貫通孔１３２が設けられているため、単一の金型を用いてケース１を形成しても容易に金型からケース１を引き離すことが可能である。この場合、たとえば、空洞部１４を設けない構成とすることで基板４がケース１に覆われるようにし、壁部材１８を省略することも可能である。
【００６０】
なお、画像読取装置Ａ４においても、画像読取装置Ａ２，Ａ３に示すような爪部材１２１，１２２を設けてもよい。さらに、レンズユニット３のｘ方向における一方の端部に弾性力付与部材１３の先端と嵌合する凹部を設けてもよい。
【００６１】
図１４および図１５には本発明の第５実施形態における画像読取装置を示している。図１４および図１５に示す画像読取装置Ａ５においては、弾性力付与部材１３がケース１の収容空間１２の端部に収容される固定用部品１３Ａに設けられている。画像読取装置Ａ５のその他の構成は画像読取装置Ａ１と同様になっている。固定用部品１３Ａは、たとえばケース１と同じ樹脂で製作可能である。
【００６２】
固定用部品１３Ａは、収容空間１２に嵌め込み可能な板状部品である。この固定用部品１３Ａは、収容空間１２と同程度のサイズの収容空間を有する既存または新たに作られるの別種のケースに対しても利用可能である。
【００６３】
なお、固定用部品１３Ａに弾性力付与部材１３を設ける構成は、画像読取装置Ａ２〜Ａ４においても採用可能である。
【００６４】
図１６には本発明の第６実施形態における画像読取装置を示している。図１６に示す画像読取装置Ａ６は、弾性力付与部材１３がｘ方向における両側に配置されている。画像読取装置Ａ６のその他の構成は画像読取装置Ａ１と同様となっている。本実施形態では、双方の弾性力付与部材１３の押す力が釣り合う位置でレンズユニット３は固定される。
【００６５】
なお、弾性力付与部材１３がｘ方向における両側に配置される構成は、画像読取装置Ａ２，Ａ４においても採用可能である。
【００６６】
図１７には本発明の第７実施形態における画像読取装置を示している。図１７に示す画像読取装置Ａ７は、収容空間１２のｘ方向他端にも固定用部品１３Ａが設置された構成となっており、その他の構成は画像読取装置Ａ５と同様となっている。ｘ方向他端側に設置された固定用部品１３Ａは、ｘ方向一方側に設置されている固定用部品１３Ａと同じものであり、向きが逆となっている。本実施形態では、双方の弾性力付与部材１３の押す力が釣り合う位置でレンズユニット３は固定される。
【００６７】
図１８および図１９には本発明の第８実施形態における画像読取装置を示している。図１８および図１９に示す画像読取装置Ａ８は、たとえばスキャナ装置の筐体に組み込まれて用いられるものであり、保護ガラス７’が筐体側に設けられており、ケース１に保護ガラス７が組み込まれていない。画像読取装置Ａ８のその他の構成は画像読取装置Ａ１と同様となっている。
【００６８】
なお、画像読取装置Ａ２〜Ａ７においても、画像読取装置Ａ８と同様に保護ガラス７が組み込まれていない構成とすることが可能である。
【００６９】
本発明の範囲は、上述した実施形態に限定されるものではない。本発明に係る画像読取装置の各部の具体的な構成は、種々に設計変更自在である。たとえば、画像読取装置Ａ１〜Ａ４の読み取り幅は１０．１６ｃｍであるが、本発明の構成は読み取り幅とは無関係に利用可能である。
【００７０】
また、上述した実施形態では、壁部材１８のｙ方向長さが基板４のｙ方向幅と同じである長板状であるが、その形状や長さは適宜変更され得るものである。たとえば、壁部材１８がｙ方向においてラインセンサ５から比較的遠い領域にまで届いていなくても構わない。
【００７１】
また、上述した実施形態では、ケース１に線状光源２が組み込まれた構造のものを示しているが、本発明はこのような構造に限定されない。外部光により照明された読取対象物を読み取る構成の画像読取装置においても本発明は適用可能である。
【符号の説明】
【００７２】
Ａ１〜Ａ８  画像読取装置
ｘ        （第１の）方向
ｙ        （第２の）方向
ｚ        （厚さ）方向
１          ケース
１１、１２  収容空間
１２１，１２２  爪部材
１３        弾性力付与部材
１３Ａ      固定用部品
１３１      傾斜面
１３２      貫通孔
１４        空洞部
１５，１６  壁部
１７        凹部
１８        壁部材
２          線状光源
２１        光源基板
２２        導光体
２３        リフレクタ
３          レンズユニット
３１        レンズ部材
３２        ハウジング
３２ａ      凹部
４          基板
５          ラインセンサ
６          ホルダ
６１        板状部
６２        屈曲部
６３        楔部
６４        当接部
７，７’    保護ガラス
【図１】
2012104876.tif 000003
【図２】
2012104876.tif 000004
【図３】
2012104876.tif 000005
【図４】
2012104876.tif 000006
【図５】
2012104876.tif 000007
【図６】
2012104876.tif 000008
【図７】
2012104876.tif 000009
【図８】
2012104876.tif 000010
【図９】
2012104876.tif 000011
【図１０】
2012104876.tif 000012
【図１１】
2012104876.tif 000013
【図１２】
2012104876.tif 000014
【図１３】
2012104876.tif 000015
【図１４】
2012104876.tif 000016
【図１５】
2012104876.tif 000017
【図１６】
2012104876.tif 000018
【図１７】
2012104876.tif 000019
【図１８】
2012104876.tif 000020
【図１９】
2012104876.tif 000021
【図２０】
2012104876.tif 000022